(57)【要約】【課題】Ｄ／Ａコンバータを用いることで、製品の製造コストを上げることになる。また、利得制御回路および直流制御回路によってオーディオ信号をミュートして最小限レベルに下げても消費電力が残るという課題が残る。【解決手段】サブマイコンに第三のミュート信号を出力するための出力ポートを設け、第三のスイッチ手段を設けることによって安価で構成可能な、かつ消費電力を最小限に抑えるミュート回路を提供することが可能となる。【選択図】図２
2008301312.tif 000002
【特許請求の範囲】
【請求項１】
第一のミュート信号を出力するＣＰＵと、複数のオーディオ信号と第二のミュート信号を出力するオーディオＩＣと、P-ON信号を出力するサブマイコンと、前記P-ON信号に従って第一の電源ラインをオンオフするための第一のスイッチ手段と、前記オーディオ信号路とグランドの間に並列に接続され、かつ前記オーディオ信号を接地してミュートするミュート手段と、前記第一及び第二のミュート信号に従って前記ミュート手段をオンオフするための第二のスイッチ手段を有するオーディオミュート回路において、
前記サブマイコンに第三のミュート信号を出力するための出力ポートを設け、
前記第二のスイッチ手段と第二の電源ラインの間に接続され、かつ前記第三のミュート信号に従って前記第二の電源ラインをオンオフする第三のスイッチ手段を設けたことを特徴とするオーディオミュート回路。
【請求項２】
前記複数のオーディオ信号は、ＤＶＤ−ｖｉｄｅｏの標準音声フォーマットである請求項１に記載のオーディオミュート回路。
【発明の詳細な説明】
【技術分野】
【０００１】
本発明は、映像音声機器のオーディオミュート回路に関し、詳細には、消費電力を抑えながら、複数の音声出力信号を効果的にミュートするためのオーディオミュート回路に関する。
【背景技術】
【０００２】
オーディオ信号の再生を開始したり、再生を停止したりする場合、オーディオ出力部に掛かっていた電力負荷が急激に変化することによって、ポップ音（ノイズ音）が発生する。また、オーディオ機器の電源をオンする場合にも、オーディオ機器が負荷ゼロの状態から電源オンされることで瞬間的に膨大な電流が流れ、このためにオーディオ出力部にノイズ信号が侵入してポップ音が発生するという問題がある。電源オフする場合も同様に、負荷状態から負荷ゼロに移行することによって膨大なマイナス電流が流れてポップ音が発生する。
【０００３】
従来から、前記ポップ音の発生を抑えるためのミュート回路が採用されており、さらに近年では環境問題への配慮のために低消費電力化も要望されている。特許文献１にはミュート動作時に、オーディオ信号の出力信号ラインを接地すると共に、信号源の利得を下げることによって消費電力を抑えることが可能な技術が開示されている。また、映像音声機器のパワーオン待機時においてはミュート回路は常に動作しており、ミュート回路動作時の消費電力を抑えることは、待機電力の低減にも繋がる。
【０００４】
特許文献１に記載の従来のミュート回路技術を、図４を参照しながら説明する。まず、ミュート動作について説明する。第三トランジスタＱ４０５のベースにＨｉレベルの制御信号を加えるとミュートを行う。前記Ｈｉレベルの制御信号に応じて、Ｄ／Ａコンバータ４０５は、利得制御手段４０１が最小の利得となるように交流成分を制御し、またＤ／Ａコンバータ４０５は、直流制御手段４０７が最小の直流レベルとなるように制御を行う。
【０００５】
次にミュート回路が働いていない動作について説明する。利得制御手段４０１にオーディオ信号が入力され、交流成分の振幅レベルが調整される。次に第一トランジスタＱ４０１のベースには制御の行われたオーディオ信号が印加され、抵抗Ｒ４０１及び第二トランジスタＱ４０３を介してオーディオ信号が出力される。この時、ミュートするためのトランジスタＱ４０５のベースにはＬｏレベルの制御信号が加わっておりＱ４０５のコレクターエミッタ間はオフしているので、オーディオ信号は直流と交流が調整された信号が出力される。
【０００６】
前述の通り、ミュート信号に従って交流成分も直流成分も最小限に制御することによって、オーディオ信号のミュート効果を高めると共に、ミュートトランジスタＱ４０５がオンしているときの、Ｒ４０１での消費電力を少なくすることが可能となる。
【特許文献１】特開平８−２３７６７７
【発明の開示】
【発明が解決しようとする課題】
【０００７】
しかしながら特許文献１による技術においては、Ｄ／Ａコンバータが２つ必要となり、製品の製造コストを上げることになる。また、ミュート動作が働いている場合においても、利得制御手段４０１および直流制御手段４０７によって最小限のレベルで出力されたオーディオ信号によってＲ４０１で電力消費が行われている。本件の発明者は、環境問題への配慮から、このような待機電力をなくすことを解決課題と認識した。
【０００８】
本発明の目的は、前述のような課題を鑑みて、製造コストを上げず、消費電力も最小限にすることを可能とする技術を提供することにある。
【課題を解決するための手段】
【０００９】
第一のミュート信号を出力するＣＰＵと、複数のオーディオ信号と第二のミュート信号を出力するオーディオＩＣと、P-ON信号を出力するサブマイコンと、前記P-ON信号に従って第一の電源ラインをオンオフするための第一のスイッチ手段と、前記オーディオ信号路とグランドの間に並列に接続され、かつ前記オーディオ信号を接地してミュートするミュート手段と、前記第一及び第二のミュート信号に従って前記ミュート手段をオンオフするための第二のスイッチ手段を有するミュート回路において、
前記サブマイコンに第三のミュート信号を出力するための出力ポートを設け、
前記第二のスイッチ手段と第二の電源ラインの間に接続され、かつ前記第三のミュート信号に従って前記第二の電源ラインをオンオフする第三のスイッチ手段を設ける。
【００１０】
前記複数のオーディオ信号は、ＤＶＤ−ｖｉｄｅｏの標準音声フォーマットであって、前記ＤＶＤ-ｖｉｄｅｏの標準音声フォーマットのミュート回路を構成する。
【００１１】
前述のとおり構成することによって、回路を安価に構成可能に、消費電力を最小限になるよう作用する。
【発明の効果】
【００１２】
請求項１に記載の発明によれば、サブマイコンに第三のミュート信号を出力するための出力ポートを設け、第三のスイッチ手段を設けることによって安価で構成可能な、かつミュート回路の消費電力を抑えることによって待機電力を最小限に抑えるミュート回路を提供することが可能となる。
【００１３】
請求項２に記載の発明によれば、ＤＶＤ−ｖｉｄｅｏフォーマット対応のオーディオ信号に対して、安価で構成可能な、かつミュート回路の消費電力を抑えることによって待機電力を最小限に抑えるミュート回路を提供することが可能となる。
【発明を実施するための最良の形態】
【００１４】
図１は本発明に係るミュート回路を有する映像音声機器であるＤＶＤレコーダ全体のブロック図を表す。図1を参照して再生動作を信号の流れで説明する。ユーザーからリモコン１０１によって再生コマンドが送られ、ＣＰＵ１３１から光ピックアップ１０５に読み取りの指示が出される。DVDディスク１０７から光ピックアップ１０５により映像及びオーディオ信号が読み出され、それぞれ映像コーデック１０９およびオーディオコーデック１１１に送られる。次に映像コーデック１０９から映像信号処理部１１３に信号が送られ輝度や色処理がなされてアナログ映像出力部１１５に送られる。一方オーディオ信号は、オーディオコーデック１１１からオーディオ信号処理部１１７に送られ、デジタルオーディオ出力部１１９およびマルチオーディオ出力部１２１それぞれに送られる。オーディオ電源部１２３は、オーディオ信号処理部１１７およびマルチオーディオ出力部１２１に電力供給を行うことによって、オーディオ信号の各処理と増幅動作を行なっている。
【００１５】
従来では映画における家庭向け用オーディオ信号はステレオ２ｃｈ信号が主流であったが、近年ではオーディオ信号処理に関するソフトおよびハード両方の技術発展に伴い、家庭向け民生機器においても映画ソフトを再生する際に、２ｃｈ以上のオーディオ信号を出力出来る製品も普及している。
【００１６】
ここで世界的に普及しているサラウンド規格であるドルビー（登録商標）・ディジタルについて説明する。ドルビー・ディジタルは、米国・ドルビー研究所が開発したマルチチャンネルサラウンド・ディジタル信号フォーマットであるが、ＡＣ−３という圧縮符号化方式により圧縮された最大５．１ｃｈの独立音声を持つＤＶＤ−ｖｉｄｅｏの標準音声フォーマットで、米国ＤＴＶの標準音声としても採用されている。フロントＬ／Ｒ、センター、リアーＬ／Ｒの５ｃｈとサブウーファの０．１ｃｈ、合計５．１ｃｈに対応している。
【００１７】
ＣＰＵ１３１はユーザーからの指令に対応し、それに関連する様々な処理を行い、各ブロックを制御している。マルチオーディオＤＡＣ−ＩＣ１３３はドルビー・ディジタルのオーディオ信号をアナログ出力するための処理を行う。なお、本実施例においては、５．１ｃｈのうちのフロントＬ／Ｒ信号をダウンミックスした信号２ｃｈを出力する仕様を設けており、合計８ｃｈのオーディオ信号をアナログ出力する回路についての説明を行う。この２ｃｈは、フロントＬ／Ｒ信号の対応する全周波数から、ある周波数帯域だけを抽出してダウンミックスし、テレビなどに内蔵される小型スピーカで再生するために設けられる。
【００１８】
マルチオーディオ出力部１２１は、前述の８ｃｈオーディオ信号を８つの出力端子からアナログ出力するための出力回路であり、内部にミュート手段１２０を有している。また、第一のスイッチ手段１２４、第二のスイッチ手段１２５および第三のスイッチ手段１２６は、ＣＰＵ１３１、サブマイコン１３５およびマルチオーディオＤＡＣ−ＩＣ１３３からのミュート信号に応答して、オーディオ電源部１２３からマルチオーディオ出力部１２１への電源ラインのオンオフを行う。第一のスイッチ手段１２４、第二のスイッチ手段１２５および第三のスイッチ手段１２６の動作に関しては後に詳述する。
【００１９】
次に図２に基づいて、図１及び図３を参照しながら、本発明に係るミュート回路の動作を説明する。図２は、本発明に係る主要部分ブロックの詳細図を表す。図３は、本発明に係り、かつ前記動作に係る各ミュート信号と電源ラインの立ち上がり立下りの遷移を時系列で表している。
【００２０】
まず、Ｐ−ＯＮキー押下後の一連の処理について説明する。リモコン１０１の図示しないＰ−ＯＮキーが押下されると、１０００分の数１００秒のウェイト時間後、サブマイコン１３５からＭＵＴＥ−ＣＯＮＴＲＯＬ（Ｈｉ）信号が出力される（図３のＢ１）。次にＭＵＴＥ−ＣＯＮＴＲＯＬ（Ｈｉ）信号が第三のスイッチ手段を構成するＱ２３１のベースに印加されて、Ｑ２３１のベース−エミッタ間が導通する。このとき、Ｑ２３１のベース−エミッタと並列にグランドに接地されるＲ２３１によってＱ２３１のベース電位が維持され、またベース−エミッタ間に流れる電流制限され、過電流によるＱ２３１の破壊を防止する。次に、Ｑ２３１のベース−エミッタ間が導通することによりＥＶＥＲ３．３Ｖの第二の電源ラインは、Ｒ２３３、Ｒ２３２およびＱ２３１のコレクタ−エミッタ間を通じてグランドに接地される。ここでＲ２３３の抵抗値によって、Ｑ２３２のエミッタ電位に対してＱ２３２のベース電位は低くなり、Ｑ２３２のエミッタ−ベース間が導通し、Ｑ２３２のコレクタ−エミッタ間も導通し、Ｑ２３２のコレクタ電位はエミッタ電位と同等の３．３Ｖとなる。
【００２１】
次にＣＰＵ１３１からＡＵＤＩＯ−ＭＵＴＥ（Ｌｏ）信号が出力される（図３のＣ１）。ＡＵＤＩＯ−ＭＵＴＥ（Ｌｏ）信号によって、Ｒ２５を介して第二のスイッチ手段のＱ２２１のベース電位を下げるため、Ｑ２１１のエミッタ−コレクタ間は導通し、Ｑ２１１のエミッタ電位は３．３Ｖとなり、ミュート手段のＱ２４１、Ｑ２４２、Ｑ２４３、Ｑ２４４、Ｑ２４５、Ｑ２４６、Ｑ２４７およびＱ２４８のベースに印加され、それぞれのコレクタ−エミッタ間は導通し、それぞれのエミッタは接地されているため、マルチオーディオＤＡＣ−ＩＣ１３３から出力端子までのオーディオ信号ラインはグランドレベルに接地され、ミュート回路が動作した状態となる。
【００２２】
この状態になった後に初めてサブマイコン１３５からＰ−ＯＮ（Ｈｉ）信号が出力される（図３のＡ１）。前記Ｐ−ＯＮ（Ｈｉ）信号は分圧抵抗R２１１とＲ２１２によって分圧され、分圧された電圧がＱ２１１のベースに印加されて、Ｑ２１１のコレクタ−エミッタ間が導通する。Ｑ２１１のエミッタは接地されているので、Ｑ２１１のコレクタ電位は実質ゼロとなり、Ｒ２１４およびＲ２１３を介して第一の電源ライン１０ＶからＱ２１１が導通し、Ｑ２１２のコレクタ−エミッタ間が導通して、Ｑ２１２のコレクタに接続されたＰ−ＯＮラインが１０Ｖラインとなる（図３のＥ１）。
【００２３】
Ｐ−ＯＮラインが１０Ｖになったことによって、Ｒ２１とＲ２３によって分圧された電圧がＱ２０１のベースに印加されて、ＥＶＥＲ３．３Ｖに接続されたＱ２０１のコレクタとエミッタは導通し、エミッタに接続されたラインがＰ−ＯＮ３．３Ｖとなる。この３．３ＶはＤＡＣ−ＩＣ等の補足で載置されたＩＣの電源として用いられる。
【００２４】
次にＰ−ＯＦＦキー押下後の一連の処理について説明する。まずリモコン１０１の図示しないＰ−ＯＦＦキーが押下され、１０００分の数１００秒のウェイト時間後、サブマイコン１３５からＰ−ＯＮ（Ｌｏ）信号が出力される（図３のＡ２）。これによって第一のスイッチ手段のＱ２１１のベースへの印加電圧がなくなるので、Ｑ２１１のコレクタ−エミッタは導通をオフしＱ２１２のベースとグランドは開放となり、Ｑ２１２のコレクターエミッタは導通をオフし、Ｐ−ＯＮ１０Ｖラインは０Ｖとなる（図３のＥ２）。
【００２５】
次にＣＰＵ１３１からＡＵＤＩＯ−ＭＵＴＥ信号（Ｈｉ）が出力され（図３のＣ４）、これに続いてサブマイコン１３５からＭＵＴＥ−ＣＯＮＴＲＯＬ（Ｌｏ）信号が出力され（図３のＢ４）、それぞれの信号が第二のスイッチ手段のＱ２２１のベース電位を持ち上げることになる。これにより、Ｑ２２１のコレクタ−エミッタ間は導通をオフするので、ミュート手段のＱ２４１、Ｑ２４２、Ｑ２４３、Ｑ２４４、Ｑ２４５、Ｑ２４６、Ｑ２４７およびＱ２４８を導通させていたベース電圧は印加されなくなり、マルチオーディオＤＡＣ−ＩＣ１３３から出力端子までのオーディオ信号ラインのグランドへの接地は解除され、ミュート回路が動作していない状態となる。
【００２６】
前記の通り、リモコンからＰ−ＯＮの指示が発信されたときには、実際の電源をオンさせるための製品内部の指令である、サブマイコン１３５からのＰ−ＯＮ（Ｈｉ）信号が出力される前に、ＭＵＴＥ−ＣＯＮＴＲＯＬとＡＵＤＩＯ−ＭＵＴＥ信号がそれぞれミュート回路をミュート動作するための信号を出力している。また、リモコンからＰ−ＯＦＦの指示が発信されたときには、サブマイコン１３５からのＰ−ＯＮ（Ｌｏ）信号が出力された後に、ＭＵＴＥ−ＣＯＮＴＲＯＬとＡＵＤＩＯ−ＭＵＴＥ信号がそれぞれミュート回路に対してミュート動作を解除するための信号を出力している。
【００２７】
前述のようなタイミングでミュート回路を動作させることによって、Ｐ−ＯＮ／Ｐ−ＯＦＦ前後において、負荷の有無により発生する電源ラインの急激な変化の影響を受けて、ノイズ電圧がオーディオ信号処理部１１７、オーディオ電源部１２３およびマルチオーディオ出力部１２１に侵入してポップ音を発生させることを防止している。特に本発明においてＭＵＴＥ−ＣＯＮＴＲＯＬ信号を出力して、第二のスイッチ手段への電源ラインをスイッチすることで、Ｐ−ＯＮ／Ｐ−ＯＦＦによる電源ラインの影響が長い時間続いた場合にでも確実にポップ音の発生を防止することが可能となる。
【００２８】
次に図２に基づいて、図１及び図３を参照しながら、本発明に係るミュート回路の動作を説明する。図３は、本発明に係り、かつ前記動作に係る各ミュート信号と電源ラインの立ち上がり立下りの遷移を時系列で表している。
【００２９】
まず、ＰＬＡＹキー押下後の一連の処理について説明する。リモコン１０１の図示しないＰＬＡＹキーが押下されると、１０００分の数１００秒のウェイト時間後、マルチオーディオＤＡＣ−ＩＣ１３３からＤＡＣ−ＭＵＴＥ（Ｈｉ）信号が出力される（図３のＤ１）。次にＣＰＵ１３１からＡＵＤＩＯ−ＭＵＴＥ（Ｈｉ）信号が出力され（図３のＣ２）、それぞれの信号が第二のスイッチ手段のＱ２２１のベース電位を持ち上げることになる。これにより、Ｑ２２１のコレクタ−エミッタ間は導通をオフするので、ミュート手段のＱ２４１、Ｑ２４２、Ｑ２４３、Ｑ２４４、Ｑ２４５、Ｑ２４６、Ｑ２４７およびＱ２４８を導通させていたベース電圧は印加されなくなり、マルチオーディオＤＡＣ−ＩＣ１３３から出力端子までのオーディオ信号ラインのグランドへの接地は解除され、ミュート回路が動作していない状態となる。
【００３０】
次いでサブマイコン１３５からＭＵＴＥ−ＣＯＮＴＲＯＬ（Ｌｏ）信号が出力され（図３のＢ２）、第三のスイッチ手段を構成するＱ２３１のベース印加電圧がゼロとなり、Ｑ２３２のベース電位は引っ張られ、Ｑ２３２のコレクタ−エミッタ間はオフし、ミュート手段を動作させる電源ラインは完全にオフとなり、ミュート動作は解除された状態となる。
【００３１】
次にＳＴＯＰキー押下後の一連の処理について説明する。まずリモコン１０１の図示しないＳＴＯＰキーが押下されてから、１０００分の数１００秒のウェイト時間後、サブマイコン１３５からＭＵＴＥ−ＣＯＮＴＲＯＬ（Ｈｉ）信号が出力され（図３のＢ３）、第三のスイッチ手段を構成するＱ２３１のベースに印加され、Ｑ２３２のコレクタ−エミッタ間は導通し、Ｑ２３２のエミッタは設置されているため、コレクタ電位は実質ゼロに等しくなり、Ｑ２３２のベース電位が下がりのコレクタ−エミッタ間も導通し、エミッタ電位は３．３Ｖとなる。
【００３２】
次にＣＰＵ１３１からＡＵＤＩＯ−ＭＵＴＥ（Ｌｏ）信号が出力され（図３のＣ３）、続いてマルチオーディオＤＡＣ−ＩＣ１３３からＤＡＣ−ＭＵＴＥ（Ｌｏ）信号が出力される（図３のＤ２）。ＡＵＤＩＯ−ＭＵＴＥ（Ｌｏ）信号およびＤＡＣ−ＭＵＴＥ（Ｌｏ）信号によって、それぞれＲ２５およびＲ２７を介して第二のスイッチ手段のＱ２２１のベース電位を下げるため、Ｑ２１１のエミッタ−コレクタ間は導通し、Ｑ２２１のエミッタ電位は３．３Ｖとなり、ミュート手段のＱ２４１、Ｑ２４２、Ｑ２４３、Ｑ２４４、Ｑ２４５、Ｑ２４６、Ｑ２４７およびＱ２４８のベースに印加され、それぞれのコレクタ−エミッタ間は導通する。またミュート手段のＱ２４１、Ｑ２４２、Ｑ２４３、Ｑ２４４、Ｑ２４５、Ｑ２４６、Ｑ２４７およびＱ２４８のベースからそれぞれ、Ｒ２４１、Ｒ２４２、Ｒ２４３、Ｒ２４４、Ｒ２４５、Ｒ２６４、Ｒ２４７およびＲ２４８がグランドに接地されており、これらはＱ２２１のコレクタ電位を維持し、またミュート手段のＱ２４１、Ｑ２４２、Ｑ２４３、Ｑ２４４、Ｑ２４５、Ｑ２４６、Ｑ２４７およびＱ２４８のベース−エミッタ間の過電流を防止するために設けられている。続いて、ミュート手段のＱ２４１、Ｑ２４２、Ｑ２４３、Ｑ２４４、Ｑ２４５、Ｑ２４６、Ｑ２４７およびＱ２４８のコレクタ−エミッタ間は導通し、それぞれのエミッタは接地されているため、マルチオーディオＤＡＣ  ＩＣ１３３から出力端子までのオーディオ信号ラインはグランドレベルに接地され、ミュート回路が動作した状態となる。
【００３３】
前記のとおり、ＰＬＡＹキーを押下してから暫くのウェイト時間を設けてから、ＤＡＣ−ＭＵＴＥ、ＡＵＤＩＯ−ＭＵＴＥおよびＭＵＴＥ−ＣＯＮＴＲＯＬを順番に動作させることで、ＰＬＡＹ動作に入る前後において、負荷の変化により発生する電源ラインの急激な変化の影響を受けて、ノイズ電圧がオーディオ信号処理部１１７、オーディオ電源部１２３およびマルチオーディオ出力部に侵入してポップ音を発生させることを防止している。
【００３４】
また、ＳＴＯＰキーを押下してから暫くのウェイト時間を設けてから、ＭＵＴＥ−ＣＯＮＴＲＯＬ、ＡＵＤＩＯ−ＭＵＴＥおよびＤＡＣ−ＭＵＴＥを順番にオフさせることで、ＳＴＯＰする前後において、負荷の変化により発生する電源ラインの急激な変化の影響を受けて、ノイズ電圧がオーディオ信号処理部１１７、オーディオ電源部１２３およびマルチオーディオ出力部に侵入してポップ音を発生させることを防止している。
【００３５】
前記のウェイト時間は、製品の負荷の大きさや、動作の前後の負荷の変化の大きさを考慮して、その時間を設計することが望ましい。
【図面の簡単な説明】
【００３６】
【図１】本発明に係るミュート回路を有するＤＶＤレコーダのブロック図を表す。
【図２】本発明に係る主要部分の回路図を表す。
【図３】本発明に係る各ミュート信号と電源ラインの立上りおよび立下りの遷移を表す。
【図４】従来技術のブロック図を表す。
【符号の説明】
【００３７】
１２０  ミュート手段
１２４  第一のスイッチ手段
１２５  第二のスイッチ手段
１２６  第三のスイッチ手段
１３１  ＣＰＵ
１３３  オーディオＩＣ（マルチオーディオＤＡＣ−ＩＣ）
１３５  サブマイコン
Ｑ２１１、Ｑ２１２、Ｑ２２１、Ｑ２３１、Ｑ２３２  トランジスタ
【図１】
2008301312.tif 000003
【図３】
2008301312.tif 000004
【図２】
2008301312.tif 000005
【図４】
2008301312.tif 000006